(57)【要約】【課題】  ＲＦ−ＩＤを用いて画像処理装置に各種情報を設定したり、あるいは、１つの画像処理装置から他の画像処理装置に各種情報を移動できる画像処理装置を提供する。【解決手段】  装置のＦＢＳ３０に設けられた台紙６０に配置された４つの無線ＩＣタグ（タグ(1)７１、タグ(2)７２、タグ(3)７３、タグ(4)７４）に対して情報を読み書きするためのＲＦ−ＩＤタグリーダ／ライタ８を備え、そのＲＦアンテナ８ａがＦＢＳ３０のフルレートキャリッジ３１に設けられている。フルレートキャリッジ３１の移動に伴い、ＲＦアンテナ８ａを介してＲＦ−ＩＤタグリーダ／ライタ８により、各無線ＩＣタグから情報を読み出して、ＲＡＭ１２の対応の記憶領域１２ａ〜１２ｄに記憶したり、記憶領域１２ａ〜１２ｄから情報を読み出して、対応の各無線ＩＣタグに書き込んだりする。【選択図】      図１
2006217121.tif 000002
【特許請求の範囲】
【請求項１】
各種機器の設定情報を記憶する記憶手段を備えた画像処理装置において、
無線ＩＣタグから情報を読み出す読出手段を備え、この読出手段により読み出した情報を前記記憶手段に設定することを特徴とする画像処理装置。
【請求項２】
原稿画像を読み取るスキャナを備え、スキャナのキャリッジ上に前記読出手段を設けたことを特徴とする請求項１記載の画像処理装置。
【請求項３】
各種機器の設定情報を記憶する記憶手段を備えた画像処理装置において、
前記記憶手段から読み出した設定情報を無線ＩＣタグに書き込む書込手段を備えたことを特徴とする画像処理装置。
【請求項４】
原稿画像を読み取るスキャナを備え、スキャナのキャリッジ上に前記書込手段を設けたことを特徴とする請求項３記載の画像処理装置。
【発明の詳細な説明】
【技術分野】
【０００１】
この発明は、ファクシミリ、コピー機、プリンタ、スキャナ、或いはこれらの機能を備えた複合機等として使用される画像処理装置に関する。
【背景技術】
【０００２】
ファクシミリ、コピー機等の画像処理装置の各種情報を設定するには、赤外線Ｉ／Ｆ〔ＩＲＤＡ(Infrared Data Association)〕やＲＳ２３２Ｃコネクタを用いて画像処理装置とコンピュータとを接続し、コンピュータからの情報を画像処理装置に書き込む技術が知られている（例えば、特許文献１参照）。
【特許文献１】特開平１１−３０８３８３号公報
【発明の開示】
【発明が解決しようとする課題】
【０００３】
また、装置のリプレースメントの際や、複数台の装置を同一の設定にするため、１つの画像処理装置から他の画像処理装置へ、各種情報をそのまま写したい場合もある。一方で、近年、ＲＦ−ＩＤ（radio frequency identification、ＩＤ番号を持つ小さなタグを無線で認識できるようにする技術）が使用されており、その単価も下がりつつある。
【０００４】
この発明は、そのような現状に着目してなされたもので、ＲＦ−ＩＤを用いて画像処理装置に各種情報を設定したり、あるいは、１つの画像処理装置から他の画像処理装置に各種情報を移動できる画像処理装置を提供することを目的とする。
【課題を解決するための手段】
【０００５】
前記目的を達成するために、本発明の請求項１記載の画像処理装置は、各種機器の設定情報を記憶する記憶手段を備えたものにおいて、無線ＩＣタグから情報を読み出す読出手段を備え、この読出手段により読み出した情報を前記記憶手段に設定することを特徴とする。
【０００６】
一方、請求項３記載の画像処理装置は、各種機器の設定情報を記憶する記憶手段を備えたものにおいて、前記記憶手段から読み出した設定情報を無線ＩＣタグに書き込む書込手段を備えたことを特徴とする。
【０００７】
また、請求項１及び請求項３記載の画像処理装置のいずれにおいても、具体的には例えば、原稿画像を読み取るスキャナを備え、スキャナのキャリッジ上に読出手段（請求項１の場合）、書込手段（請求項３の場合）を設けるのが好ましい。
【発明の効果】
【０００８】
本発明（請求項１，３記載の発明）によれば、無線ＩＣタグは小型、軽量なので、データを記憶する記憶媒体として取り扱いやすい。従って、無線ＩＣタグに予め設定情報を書き込んでおき、それを画像処理装置の無線ＩＣタグライタに書き込んでおき、画像処理装置の設置先で、無線ＩＣタグより設定データを装置の記憶手段に書き込むことで、設置時の設定作業を容易に行うことができる。
【０００９】
また、無線ＩＣタグにリプレース前の設定情報を書き込み、リプレースされた画像処理装置に前の設定情報を読み取らせることによって、リプレース時の設定作業も容易且つ短時間で行うことができる。
【００１０】
請求項２，４の構成とすれば、複数の無線ＩＣタグの読み書きを行うことができ、多くのデータを扱うことができる。或いは、無線ＩＣタグ毎に記憶する情報の内容を振り分けることにより、選択的に設定情報を読み書きすることもできる。
【発明を実施するための最良の形態】
【００１１】
以下、実施の形態により、この発明を更に詳細に説明する。
【００１２】
その実施形態に係る画像処理装置の全体の概略構成ブロック図を図１に示す。この画像処理装置は、ファクシミリ機能とコピー機能とを備えたいわゆる複合機として構成したものである。
【００１３】
図１において、ＭＰＵ（中央処理装置）１は、この複合機全体を制御する。
【００１４】
このＭＰＵ１には、ＮＣＵ（Network Control Unit）２、ＭＯＤＥＭ３、画像読取手段としてのスキャナ４、操作部９、表示部１０、ＲＯＭ１１、ＲＡＭ１２、画像メモリ１３、ＣＯＤＥＣ（符号化・復号器：Coder and Decoder ）１４、プリンタ１５、ＬＡＮ  Ｉ／Ｆ（構内情報網：Local Area Network Interface）１６がバス２２を介して接続されている。
【００１５】
ＮＣＵ２は、ＭＰＵ１により制御されて、回線２３と当該複合機との接続を制御すると共に、通信相手の電話番号に応じたダイヤルパルスを送出する機能及び着信を検出する機能を有する。なお、回線２３は一般公衆電話回線網（ＰＳＴＮ）に接続されている。ＭＯＤＥＭ３は、送受信データの変復調、具体的には本来はデジタル信号である送信データをアナログの音声信号に変調してＮＣＵ２を介して回線２３に送出し、また逆に回線２３からＮＣＵ２を介して受信したアナログの音声信号をデジタル信号に復調する。
【００１６】
スキャナ４は、ＣＣＤ６でスキャンした画像を処理する画像処理回路５と、走査用の光源（冷陰極管）５０（図２参照）の点灯・消灯、光源５０を有するフルレートキャリッジ３１及びハーフミラー５２，５３を有するハーフレートキャリッジ３２（図２参照）を移動させるためのモータ（図示せず）の動作等を制御するスキャナ機構駆動回路７と、ＲＦ−ＩＤタグ（無線ＩＣタグ）に対して読み書きするためのＲＦアンテナ８ａを有するＲＦ−ＩＤタグリーダ／ライタ８とを備える。
【００１７】
操作部９は、電話番号、ＦＡＸ番号を入力するためのテンキー、相手先の電話番号をワンタッチで呼び出すワンタッチキー、ＦＡＸやプリントの開始等を指示するスタートキー、ＦＡＸやプリント等の動作停止を指示するストップキー等を有する。表示部１０は、操作部９の操作により入力された電話番号やＦＡＸ番号、プリンタのトナー残量等の種々の情報を表示する。この表示部１０としては、ＣＲＴディスプレイやＬＣＤ（液晶表示装置）が用いられる。
【００１８】
ＲＯＭ１１は、この複合機全体の動作を制御するためのプログラム等を予め記憶してある。ＲＡＭ１２は、ＭＰＵ１による制御に必要なデータ及び制御動作時に一時記憶が必要なデータ等を記憶する。また、ＲＡＭ１２は、自機電話番号ＴＴＩ（発信元表示）情報の記憶領域１２ａ、ワンタッチダイヤルデータの記憶領域１２ｂ、ソフトディップ情報の記憶領域１２ｃ、ネットワーク接続情報の記憶領域１２ｄを有する。
【００１９】
画像メモリ１３は、スキャナ４のＣＣＤ６が読み取って画像処理回路５により画像変換された画像データを圧縮状態で記憶し、また外部から回線２３とＭＯＤＥＭ３を介して受信した画像データも圧縮状態で記憶する。ＣＯＤＥＣ１４は、画像メモリ１３に記憶された送信すべき画像データを符号化し、また受信した画像データを復号して画像メモリ１３に記憶する。
【００２０】
プリンタ１５は、図２に示すフラットベッドスキャナ（ＦＢＳ）３０で読み取った原稿の画像や、原稿自動搬送装置(ＡＤＦ）４１を利用して連続的に読み取った原稿の画像をプリントする。ＬＡＮ  Ｉ／Ｆ１６は、サーバ１７やクライアントＰＣ（パーソナルコンピュータ）１８が接続されたＬＡＮ２０に接続するためのものである。ＬＡＮ２０は、更にルータ１９を介してインターネット２１に接続されている。
【００２１】
この複合機の上部にはＦＢＳ３０及びＡＤＦ４１が設けられているが、その構造の概略図を図２に示す。ＦＢＳ３０には、フルレートキャリッジ３１及びハーフレートキャリッジ３２が走査方向に移動可能に配置されている。フルレートキャリッジ３１は、光源（冷陰極管）５０とハーフミラー５１を内部に有し、無線ＩＣタグの読み書きを行うためのＲＦアンテナ８ａを外部に有する。ＲＦアンテナ８ａは、図３に示すようにフルレートキャリッジ３１上の例えば図示の位置に配置され、透明のプラテン５５を通して無線ＩＣタグに対向するよう位置決めされている。
【００２２】
ハーフレートキャリッジ３２は、２つのハーフミラー５２，５３を有し、フルレートキャリッジ３１に対して相対的に走査方向に移動可能である。このハーフレートキャリッジ３２からの像をＣＣＤ６に結像させるためのレンズ５４がＣＣＤ６の手前に配置されている。
【００２３】
一方、ＦＢＳ３０上にはプラテン５５を開閉するためのプラテンカバー４０が設けられ、このプラテンカバー４０にはＡＤＦ４１が備え付けられ、更に原稿給紙トレイ４２と原稿排紙トレイ４３が設けられている。原稿給紙トレイ４２にセットされた原稿は、ＡＤＦ４１により１枚ずつ原稿読取位置に送られ、読取後に原稿排紙トレイ４３上に排出される。
【００２４】
図３に示すように、無線ＩＣタグは、ここでは長方形状の台紙６０の４箇所のポジション１〜４にタグ(1)７１、タグ(2)７２、タグ(3)７３、タグ(4)７４としてそれぞれ貼付等により取り付けられている。タグ(1)７１、タグ(2)７２、タグ(3)７３、タグ(4)７４は、ＲＦアンテナ８ａの走査方向に並列している。また、各タグ同士の間隔は、ＲＦ−ＩＤタグリーダ／ライタ８による読み書きのときに互いに干渉しないように設定されている。なお、タグ(1)７１は自機電話番号ＴＴＩ情報用タグ、タグ(2)７２はワンタッチダイヤル情報用タグ、タグ(3)７３はソフトディップ情報用タグ、タグ(4)７４はネットワーク設定情報用タグである。勿論、台紙６０に取り付ける無線ＩＣタグの数や各無線ＩＣタグの情報は上記に限定されるものではなく、例えば不要な無線ＩＣタグは取り付ける必要がない。
【００２５】
台紙６０は、無線ＩＣタグを下向きにしてＦＢＳ３０のプラテン５５上の点線で囲まれた位置に載せられる。これにより、フルレートキャリッジ３１が走査方向に移動するのに伴い、ＲＦアンテナ８ａが各無線ＩＣタグと対向する時に読み書きが行われる。
【００２６】
すなわち、無線ＩＣタグの読み取りの場合、タグ(1)７１、タグ(2)７２、タグ(3)７３、タグ(4)７４の情報が、フルレートキャリッジ３１の移動に伴い、ＲＦアンテナ８ａを介してＲＦ−ＩＤタグリーダ／ライタ８により読み取られる。読み取られたタグ(1)７１の自機電話番号ＴＴＩ情報はＲＡＭ１２の記憶領域１２ａに、タグ(2)７２のワンタッチダイヤル情報は同記憶領域１２ｂに、タグ(3)７３のソフトディップ情報は同記憶領域１２ｃに、タグ(4)７４のネットワーク設定情報は同記憶領域１２ｄに記憶される。
【００２７】
無線ＩＣタグの書き込みの場合、ＲＡＭ１２の記憶領域１２ａ〜１２ｄからそれぞれ読み出された情報が、フルレートキャリッジ３１の移動に伴い、ＲＦアンテナ８ａを介してＲＦ−ＩＤタグリーダ／ライタ８によりタグ(1)７１、タグ(2)７２、タグ(3)７３、タグ(4)７４にそれぞれ書き込まれる。
【００２８】
次に、この複合機においてタグ(1)７１、タグ(2)７２、タグ(3)７３、タグ(4)７４の情報を読み出すときの動作について、図４及び図５のフロー図を参照して説明する。まずステップＳＴ１において、ユーザが読み出しモードに設定する。この読み出しモードは、例えば操作部９に設けられた読み出しモード設定用のボタンを操作することで指示できる。
【００２９】
次いで、ステップＳＴ２において、スタートボタンがオンされたかどうか判定する。オンされるまで待機し、オンされると、ステップＳＴ３において、フルレートキャリッジ３１による走査を開始し、ステップＳＴ４において、フルレートキャリッジ３１が台紙６０のポジション１に到達したか判定する。到達するまで待機し、到達すると、ステップＳＴ５において、ＲＦアンテナ８ａを介してＲＦ−ＩＤタグリーダ／ライタ８により自機電話番号ＴＴＩ情報を読み取ったか否か（タグ(1)７１を検出したか否か）を判定する。
【００３０】
この判定がＹＥＳのときは、ステップＳＴ６において、タグ(1)７１から自機電話番号ＴＴＩ情報を読み出し、ＲＡＭ１２の記憶領域１２ａに記憶する。判定がＮＯのときは、ステップＳＴ６をスキップする。
【００３１】
続いて、ステップＳＴ７において、フルレートキャリッジ３１がポジション２に到達したか判定する。到達するまで待機し、到達すると、ステップＳＴ８において、ＲＦ−ＩＤタグリーダ／ライタ８によりワンタッチダイヤル情報を読み取ったか否か（タグ(2)７２を検出したか否か）を判定する。
【００３２】
この判定がＹＥＳのときは、ステップＳＴ９において、タグ(2)７２からワンタッチダイヤル情報を読み出し、ＲＡＭ１２の記憶領域１２ｂに記憶する。判定がＮＯのときは、ステップＳＴ９をスキップする。
【００３３】
ステップＳＴ１０においては、フルレートキャリッジ３１がポジション３に到達したか判定する。到達するまで待機し、到達すると、ステップＳＴ１１において、ＲＦ−ＩＤタグリーダ／ライタ８によりソフトディップ情報を読み取ったか否か（タグ(3)７３を検出したか否か）を判定する。
【００３４】
この判定がＹＥＳのときは、ステップＳＴ１２において、タグ(3)７３からソフトディップ情報を読み出し、ＲＡＭ１２の記憶領域１２ｃに記憶する。判定がＮＯのときは、ステップＳＴ１２をスキップする。
【００３５】
更に、ステップＳＴ１３において、フルレートキャリッジ３１がポジション４に到達したか判定する。到達するまで待機し、到達すると、ステップＳＴ１４において、ＲＦ−ＩＤタグリーダ／ライタ８によりネットワーク設定情報を読み取ったか否か（タグ(4)７４を検出したか否か）を判定する。
【００３６】
この判定がＹＥＳのときは、ステップＳＴ１５において、タグ(4)７４からネットワーク設定情報を読み出し、ＲＡＭ１２の記憶領域１２ｄに記憶する。判定がＮＯのときは、ステップＳＴ１５をスキップする。
【００３７】
その後、ステップＳＴ１６において、フルレートキャリッジ３１をホームポジションに復帰させ、当該処理を終了する。
【００３８】
一方、この複合機においてタグ(1)７１、タグ(2)７２、タグ(3)７３、タグ(4)７４に情報を書き込むときの動作について、図６及び図７のフロー図を参照して説明する。まずステップＳＴ２１において、ユーザが書き込みモードに設定する。この書き込みモードも、読み出しモードと同様に、例えば操作部９に設けられた書き込みモード設定用のボタンを操作することで指示できる。
【００３９】
次のステップＳＴ２２において、スタートボタンがオンされたかどうか判定する。オンされるまで待機し、オンされると、ステップＳＴ２３において、フルレートキャリッジ３１による走査を開始し、ステップＳＴ２４において、フルレートキャリッジ３１がポジション１に到達したか判定する。到達するまで待機し、到達すると、ステップＳＴ２５において、ポジション１に位置するタグ(1)７１の自機電話番号ＴＴＩ情報をＲＦ−ＩＤタグリーダ／ライタ８により読み取ったか否か（タグ(1)７１を検出したか否か）を判定する。
【００４０】
この判定がＹＥＳのときは、ステップＳＴ２６において、ＲＡＭ１２の記憶領域１２ａから自機電話番号ＴＴＩ情報を読み出し、タグ(1)７１に書き込む。判定がＮＯのときは、ステップＳＴ２６をスキップする。
【００４１】
続いて、ステップＳＴ２７において、フルレートキャリッジ３１がポジション２に到達したか判定する。到達するまで待機し、到達すると、ステップＳＴ２８において、ポジション２に位置するタグ(2)７２のワンタッチダイヤル情報をＲＦ−ＩＤタグリーダ／ライタ８により読み取ったか否か（タグ(2)７２を検出したか否か）を判定する。
【００４２】
この判定がＹＥＳのときは、ステップＳＴ２９において、ＲＡＭ１２の記憶領域１２ｂからワンタッチダイヤル情報を読み出し、タグ(2)７２に書き込む。判定がＮＯのときは、ステップＳＴ２９をスキップする。
【００４３】
ステップＳＴ３０においては、フルレートキャリッジ３１がポジション３に到達したか判定する。到達するまで待機し、到達すると、ステップＳＴ３１において、ポジション３に位置するタグ(3)７３のソフトディップ情報をＲＦ−ＩＤタグリーダ／ライタ８により読み取ったか否か（タグ(3)７３を検出したか否か）を判定する。
【００４４】
この判定がＹＥＳのときは、ステップＳＴ３２において、ＲＡＭ１２の記憶領域１２ｃからソフトディップ情報を読み出し、タグ(3)７３に書き込む。判定がＮＯのときは、ステップＳＴ３２をスキップする。
【００４５】
更に、ステップＳＴ３３において、フルレートキャリッジ３１がポジション４に到達したか判定する。到達するまで待機し、到達すると、ステップＳＴ３４において、ポジション４に位置するタグ(4)７４のネットワーク設定情報をＲＦ−ＩＤタグリーダ／ライタ８により読み取ったか否か（タグ(4)７４を検出したか否か）を判定する。
【００４６】
この判定がＹＥＳのときは、ステップＳＴ３５において、ＲＡＭ１２の記憶領域１２ｄからネットワーク設定情報を読み出し、タグ(4)７４に書き込む。判定がＮＯのときは、ステップＳＴ３５をスキップする。
【００４７】
その後、ステップＳＴ３６において、フルレートキャリッジ３１をホームポジションに復帰させ、当該処理を終了する。
【００４８】
なお、上記実施形態では、無線ＩＣタグはＦＢＳ３０に設けられているため、無線ＩＣタグの読み書きはＦＢＳ３０のところで行われているが、ＡＤＦ４１に無線ＩＣタグを設け、ＡＤＦ４１のところで無線ＩＣタグの読み書きを行ってもよい。
【００４９】
また、上記実施形態では、無線ＩＣタグが取り付けられている位置で、当該無線ＩＣタグに対応するデータを読み書きするようにしているが、操作部９でのキー操作により読み書きする情報の選択を行うことも可能である。例えば、上記実施形態において、台紙６０のポジション１〜４にタグ(1)７１、タグ(2)７２、タグ(3)７３、タグ(4)７４が取り付けられているとして、読み出しの場合は、例えば全ての無線ＩＣタグの情報を読み出すのではなく、キー操作で指定した無線ＩＣタグの情報だけを読み出すようにしてもよい。書き込みの場合は、キー操作で指定した無線ＩＣタグだけに所定の情報を書き込むようにする。
【図面の簡単な説明】
【００５０】
【図１】実施形態に係る画像処理装置としての複合機の全体の概略構成ブロック図である。
【図２】同複合機において上部に設けられたＦＢＳ及びＡＤＦの構造の概略図である。
【図３】同複合機においてＲＦ−ＩＤタグリーダ／ライタのＲＦアンテナと台紙に設けられた無線ＩＣタグとの位置関係を示す図である。
【図４】同複合機において無線ＩＣタグの情報を読み出すときの動作を示すフロー図である。
【図５】図４に続くフロー図である。
【図６】同複合機において無線ＩＣタグに情報を書き込むときの動作を示すフロー図である。
【図７】図６に続くフロー図である。
【符号の説明】
【００５１】
１            ＭＰＵ
４            スキャナ
６            ＣＣＤ
８            ＲＦ−ＩＤタグリーダ／ライタ
８ａ          ＲＦアンテナ
１２          ＲＡＭ
１２ａ        自機電話番号ＴＴＩ情報の記憶領域
１２ｂ        ワンタッチダイヤルデータの記憶領域
１２ｃ        ソフトディップ情報の記憶領域
１２ｄ        ネットワーク接続情報の記憶領域
３０          ＦＢＳ（フラットベッドスキャナ）
３１          フルレートキャリッジ
３２          ハーフレートキャリッジ
４１          ＡＤＦ（原稿自動搬送装置）
６０          台紙
７１〜７４    無線ＩＣタグ（タグ(1)、タグ(2)、タグ(3)、タグ(4)）
【図１】
2006217121.tif 000003
【図２】
2006217121.tif 000004
【図３】
2006217121.tif 000005
【図４】
2006217121.tif 000006
【図５】
2006217121.tif 000007
【図６】
2006217121.tif 000008
【図７】
2006217121.tif 000009